(57)【要約】【課題】発光部の目視の妨げにならない点灯検出装置の固定具及び当該固定具を備えた点灯検出装置を提供する。【解決手段】固定具１は、上下方向に長い所定幅の金属製又は合成樹脂製の板材により形成されている。固定具１は、本体部３、係止部４、下端部５から構成されている。本体部３は、正面視、上下方向に長い略矩形に形成されており、本体部３の外面には、点灯検出装置２０が固定される固定部６が設けられている。固定部６には、光センサ２５に対応して開口された第一開口部６１と、光センサ２６に対応して開口された第二開口部６２と、ビス２３が貫通するビス穴６３が形成されている。ビス穴６３は、ビス２３の平皿の頭部に対応して逆円錐状のテーパ面と成っている。ビス穴６３のテーパ面により、ビス２３の頭部は、積層信号灯側に突出しない。【選択図】図２
0003202062.tif 000002
【実用新案登録請求の範囲】
【請求項１】
少なくとも第一発光部及び第二発光部を備えた積層信号灯に、前記第一発光部の発光を検出する第一光センサ及び前記第二発光部の発光を検出する第二光センサを内蔵した点灯検出装置を固定する固定具であって、
前記積層信号灯の前記第一発光部及び前記第二発光部の積層方向の外面に沿うように延設され、上端部及び下端部を備えた本体部を備え、
前記本体部は、
前記点灯検出装置が固定される固定部と、
前記固定部に固定された前記点灯検出装置の前記第一光センサに対向する第一位置に形成された第一開口部と、
前記第一開口部より前記下端部の側に設けられ、前記第二光センサに対向する第二位置に形成された第二開口部と
を備えたことを特徴とする点灯検出装置の固定具。
【請求項２】
前記本体部の上端部の側に設けられ、前記積層信号灯の頭頂部に係止可能な係止部を備えたことを特徴とする請求項１に記載の点灯検出装置の固定具。
【請求項３】
前記積層信号灯に対向する前記固定具の内面には、接着テープが設けられていることを特徴とする請求項１又は２に記載の点灯検出装置の固定具。
【請求項４】
前記本体部は、前記点灯検出装置を固定するためのビス穴が形成されていることを特徴とする請求項１〜３の何れかに記載の点灯検出装置の固定具。
【請求項５】
前記本体部の前記下端部は、前記固定部より下方まで延設されていることを特徴とする請求項１〜４の何れかに記載の点灯検出装置の固定具。
【請求項６】
前記固定具の上端部側には、結束バンドが係止される凹部が形成されていることを特徴とする請求項１〜５の何れかに記載の点灯検出装置の固定具。
【請求項７】
請求項１〜６の何れかに記載の固定具を備えた点灯検出装置。
【考案の詳細な説明】
【技術分野】
【０００１】
本考案は、装置の動作状態を表示する積層信号灯に取り付けられ、積層信号灯の点灯状態を検出する点灯検出装置を固定する固定具及び当該固定具を備えた点灯検出装置に関する。
【背景技術】
【０００２】
従来、工場の生産ラインや物流のライン等の自動化ラインに設置された各種の装置には、その装置の動作状態を表示する「シグナル・タワー（登録商標）」と呼ばれる積層信号灯が設けられている。積層信号灯が設けられる装置の一例は、各種の工作機械、組み付け装置等である。この積層信号灯は、一例として、円柱状に形成され、下から緑色（青色）、黄色、赤色の各点灯部が一定高さで積層されている。この積層信号灯は、装置の上部に立設され、装置の動作状態を表示する。装置が正常動作の場合には、緑色が点灯し、異常が生じた場合には、黄色又は赤色が点灯する。
【０００３】
また、工場には、その生産ラインで生産される製品の生産状況を数字で表示する通称「アンドン」と呼ばれる生産管理盤が設けられている（例えば、特許文献１参照）。この生産管理盤では、生産ラインでの製品の製造過程を数字表示して、生産状況を情報として全員に知らせることができる。
【０００４】
積層信号灯が緑色から黄色もしくは赤色に変わった場合には、作業者はその装置に行き、装置の動作状態を正常に戻す必要が有る。しかし、作業者の少ない生産ラインでは、積層信号灯の点灯の色変わりだけでは、作業者が気がつかない場合がある。この問題を解決するためには、生産管理盤を利用して、装置の異常を報知することが考えられる。この場合には、装置の制御回路やシーケンサーの出力を変更して、生産管理盤と接続する必要がある。従って、装置の改造が必要になるという問題点がある。この問題を解決するために、積層信号灯の発光部の外周面に光センサをバンドで固定する方法が提案されている（特許文献２参照）
【先行技術文献】
【特許文献】
【０００５】
【特許文献１】実用新案登録第３１１１５２９号公報
【特許文献２】特開２０１３−１２８３６号公報
【考案の概要】
【考案が解決しようとする課題】
【０００６】
しかし、特許文献２に記載の方法では、一つの発光部の外周にバンドを外周方向に巻き、一つの光センサが固定されるようにしているので、各発光部に対応して各々バンドを巻く必要があるという問題点があった。また、発光部の外周にバンドが一周巻かれるので、バンドが発光部の目視の妨げになるという問題点があった。
【０００７】
本考案は、上記課題を解決するために成されたものであり、第一の目的は、発光部の目視の妨げにならない点灯検出装置の固定具及び当該固定具を備えた点灯検出装置を提供することである。また、第二の目的は、一つの固定具で、複数の光センサを内蔵した点灯検出装置を固定できる固定具及び当該固定具を備えた点灯検出装置を提供することである。
【課題を解決するための手段】
【０００８】
本考案の点灯検出装置の固定具は、少なくとも第一発光部及び第二発光部を備えた積層信号灯に、前記第一発光部の発光を検出する第一光センサ及び前記第二発光部の発光を検出する第二光センサを内蔵した点灯検出装置を固定する固定具であって、前記積層信号灯の前記第一発光部及び前記第二発光部の積層方向の外面に沿うように延設され、上端部及び下端部を備えた本体部を備え、前記本体部は、前記点灯検出装置が固定される固定部と、前記固定部に固定された前記点灯検出装置の前記第一光センサに対向する第一位置に形成された第一開口部と、前記第一開口部より前記下端部の側に設けられ、前記第二光センサに対向する第二位置に形成された第二開口部とを備えたことを特徴とする。
【０００９】
この構成の点灯検出装置の固定具では、本体部が、積層信号灯の第一発光部及び第二発光部の積層方向の外面に沿うように延設されるので、１つの固定具で、第一発光部及び第二発光部の発光を検出する点灯検出装置を固定できる。本体部においては、固定部に点灯検出装置が固定され、第一開口部が固定部に固定された点灯検出装置の第一光センサに対向する第一位置に形成され、前記第一開口部より前記下端部の側に設けられ、第二開口部は、第一開口部より下端部の側に設けられ、点灯検出装置の第二光センサに対向する第二位置に形成されている。従って、点灯検出装置内に、第一光センサ及び第二光センサを内蔵していても、第一発光部及び第二発光部の発光の検出の妨げにならない点灯検出装置の固定具を実現することができる。
【００１０】
前記本体部の上端部の側に設けられ、前記積層信号灯の頭頂部に係止可能な係止部を備えてもよい。この場合には、係止部が積層信号灯の頭頂部に係止されるので、固定具が下にずり落ちることがない。
【００１１】
また、点灯検出装置の固定具では、前記積層信号灯に対向する前記固定具の内面には、接着テープが設けられていてもよい。この場合には、接着テープにより固定具を積層信号灯に容易に固定できる。
【００１２】
また、前記本体部は、前記点灯検出装置を固定するためのビス穴が形成されていてもよい。この場合には、ビスにより点灯検出装置を固定具に固定できる。
【００１３】
また、前記本体部の前記下端部は、前記固定部より下方まで延設されていてもよい。この場合には、本体部の下端部を結束バンドにより積層信号灯に固定することができる。
【００１４】
また、前記固定具の上端部側には、結束バンドが係止される凹部が形成されていてもよい。この場合には、固定具の上端部側の係止部の下を結束バンドで結束することができる。また、結束バンドは凹部に係止されてずれることがない。
【００１５】
また、点灯検出装置は、上記何れかに記載の固定具を備えていてもよい。
【図面の簡単な説明】
【００１６】
【図１】積層信号灯１０の背面に固定具１を取り付けた状態を示す図である。
【図２】固定具１の正面図である。
【図３】固定具１の左面図である。
【図４】積層信号灯１０の点灯検出システムを示す図である。
【考案を実施するための形態】
【００１７】
以下、本考案の一実施の形態である点灯検出装置２０の固定具１について、図面を参照して説明する。初めに、図１を参照して、固定具１が取り付けられる積層信号灯１０に付いて説明する。積層信号灯１０は、円柱状に形成され、下から上に向けて緑色発光部１３、黄色発光部１２、上から赤色発光部１１が積層されている。緑色発光部１３には、円柱状の下端部１６が設けられ、下端部１６の下部には、下端部１６より径の脚部１５が設けられている。また、赤色発光部１１の上部には、蓋状の頂部１４が設けられている。積層信号灯１０は、工場の製造ライン等で使用される装置に設けられている。
【００１８】
次に、図２及び図３を参照して、点灯検出装置２０の構造を説明する。点灯検出装置２０は、縦長の長方体形状である。点灯検出装置２０内には、積層信号灯１０の赤色発光部１１の発光を検出する光センサ２５と、黄色発光部１２の発光を検出する光センサ２６とが設けられている。光センサ２５と光センサ２６との間隔は、装着される積層信号灯１０の赤色発光部１１及び黄色発光部１２の位置に対応している。従って、積層信号灯１０の機種により、赤色発光部１１及び黄色発光部１２の配置のピッチは異なるので、点灯検出装置２０の光センサ２５及び光センサ２６の位置の間隔も異なる。光センサ２５及び光センサ２６の一例としては、ＣｄＳ（硫化カドミウム）セル等のフォトレジスタや、フォトトランジスタ等の各種光センサを用いることができる。
【００１９】
点灯検出装置２０の固定具１への取り付け面には、光センサ２５と光センサ２６に対応した開口部が形成されている。また、取り付け面が透明の合成樹脂から形成されていてもよい。図２に示すように、点灯検出装置２０は、光センサ２５と光センサ２６との間に、ビス２３が貫通可能になっている。ビス２３の一例としては、平皿ビスが用いられ、固定具１の固定部６に点灯検出装置２０が固定される。平皿ビスを用いれば、ビスの頭が固定具１から突出することが無く、固定具１の積層信号灯１０への取り付けに邪魔にならない。点灯検出装置２０からは、信号を出力するケーブル２１が出ている。図１に示すように、ケーブル２１の先端には、コネクタが設けられている。
【００２０】
次に、図２及び図３を参照して、固定具１の構造を説明する。固定具１は、上下方向に長い所定幅の金属製又は合成樹脂製の板材により形成されている。固定具１は、本体部３、係止部４、下端部５から構成されている。本体部３は、正面視、上下方向に長い略矩形に形成されており、上端部３Ａ、下端部５を備える。本体部３の外面には、点灯検出装置２０が固定される固定部６が設けられている。固定部６には、光センサ２５に対応して開口された第一開口部６１と、光センサ２６に対応して開口された第二開口部６２と、ビス２３が貫通するビス穴６３が形成されている。ビス穴６３は、ビス２３の平皿の頭部に対応して逆円錐状のテーパ面と成っている。ビス穴６３のテーパ面により、ビス２３の頭部は、積層信号灯１０側に突出せずに保持される。固定具１と点灯検出装置２０は、ビス２３とナット２４により一体に固定される。
【００２１】
係止部４は、本体部３の上端部３Ａから本体部３と直交する方向である積層信号灯１０への取り付け側に突出する。即ち本体部３の上端部３Ａが直角に折り曲げられた状態である。本体部３の下部には、正面視で本体部３の幅より狭い下端部５が延設されている。本体部３の上端部３Ａには、結束バンド３１が係止される凹部７，７が形成されている。
【００２２】
尚、図２に示すように、固定具１の積層信号灯１０への取り付け面には、第一開口部６１及び第二開口部６２を避けて、接着テープ４０が設けられている。接着テープ４０は、一例として両面接着テープである。
【００２３】
次に、図１を参照して、固定具１を利用した点灯検出装置２０の積層信号灯１０への取り付けを説明する。固定具１の固定部６に予め点灯検出装置２０をビス２３及びナット２４により固定する。接着テープ４０の剥離紙をはがして、係止部４が頂部１４に当接するようにして積層信号灯１０の側面に固定具１を貼り付ける。固定具１の積層信号灯１０への貼り付け位置は、積層信号灯１０の背面側の側面にすれば、積層信号灯１０の目視の妨げにならず、また、積層信号灯１０の美観を損なうことがない。図１に示すように、固定具１は、結束バンド３１でも積層信号灯１０に固定される。結束バンド３１は、赤色発光部１１の上方の発光部でない部分に巻き付けられる。従って、接着テープ４０の接着力と、結束バンド３１の張力により、固定具１は、積層信号灯１０に確実に固定される。また、結束バンド３１は、凹部７，７に係止されてずれることがない。また、１つの固定具１で光センサ２５及び光センサ２６の２つを固定できることになる。尚、結束バンド３２，３３によりケーブル２１を積層信号灯１０に固定すれば、ケーブル２１は、綺麗に配線される。尚、結束バンド３１，３２，３３は、各発光部にはかからないので、各発光部の目視の妨げになることはない。
【００２４】
次に、図４を参照して、積層信号灯１０の点灯検出システムを説明する。積層信号灯１０に固定具１により固定された点灯検出装置２０からの検出信号は、ケーブル２１及びコネクタ２２を介して、センサーアンプ・送信機７０に入力される。センサーアンプ・送信機７０には、ＡＣケーブル７１及びコネクタ７２によりＡＣ電源が供給される。センサーアンプ・送信機７０は、点灯検出装置２０からの検出信号を増幅し、生産管理盤であるアンドン８０に送信する。アンドン８０では、積層信号灯１０の赤色発光部１１の点灯信号又は黄色発光部１２の点灯信号を受信した場合には、アンドン８０の表示画面に積層信号灯１０が設置された装置の異常を表示する。
【００２５】
以上説明したように、本考案によれば、固定具１は、積層信号灯１０の背面側に設置できるので、積層信号灯１０の表面側は従来と変わらず、積層信号灯１０の各発光部の目視の妨げにならない。また、１つの固定具１で、複数の光センサを内蔵した点灯検出装置２０を積層信号灯１０に固定できるので、従来のように、積層信号灯１０の発光部毎に結束バンドで光センサを巻き付ける必要がない。尚、赤色発光部１１が「第一発光部」の一例であり、黄色発光部１２が「第二発光部」の一例であり、光センサ２５が「第一光センサ」の一例であり、光センサ２６が「第二光センサ」の一例である。
【００２６】
尚、本考案は、上記実施の形態に限られず各種の変形が可能である。例えば、第一開口部６１及び第二開口部６２以外に、第三開口部を設けて、緑色発光部１３の発光を検知する第三光センサも備えた点灯検出装置を固定できるようにしてもよい。
【符号の説明】
【００２７】
１  固定具
３  本体部
３Ａ  上端部
４  係止部
５  下端部
６  固定部
７  凹部
１０  積層信号灯
１１  赤色発光部
１２  黄色発光部
１３  緑色発光部
１４  頂部
１６  下端部
２０  点灯検出装置
２３  ビス
２４  ナット
２５  光センサ
２６  光センサ
３１，３２，３３  結束バンド
４０  接着テープ
６１  第一開口部
６２  第二開口部
６３  ビス穴
【図１】
0003202062.tif 000003
【図２】
0003202062.tif 000004
【図３】
0003202062.tif 000005
【図４】
0003202062.tif 000006